(57)【要約】【課題】単色表示部と多色表示部を有する表示装置において、内部処理の簡略化及び処理速度の向上が図れる表示装置を得る。【解決手段】１ドット毎に４ビットの単色表示用のデータを２元素のカラー情報として１バイトで構成し、また多色表示部１１２の中の単色表示部１１１と共通する色の２元素と共通しない色の１元素を分離してそれぞれを１バイトで構成する。これにより、単色表示用の表示データと多色表示用の表示データのフォーマットの共通化が図れ、内部処理の簡略化及び処理速度の向上が図れる。また、単色及び多色のそれぞれにおいて１ドットあたり１６階調〜６５５３６階調の多彩な表現が可能となる。【選択図】図３
2009300522.tif 000002
【特許請求の範囲】
【請求項１】
複数配列した発光素子を点灯させることで文字や画像を表示する表示装置において、
１ドットを１元素の発光素子で構成し、複数のドットで単色表示する単色表示部と、
１ドットを発光色の異なる３元素の発光素子で構成し、複数のドットで前記単色表示部の発光色を含む複数の発光色で多色表示する多色表示部と、
前記多色表示部を構成する発光素子の３元素のうち、前記単色表示部の発光色と共通する発光色を表現できる２元素のカラー情報を多色表示用の表示データとして生成し、当該多色表示用の表示データと同一のデータ長で単色表示用の表示データを生成する表示データ生成手段と、
を備えた表示装置。
【請求項２】
前記表示データ生成手段は、前記単色表示部の１ドットあたりのビット数を４ビットとし、当該４ビットのデータを１バイトのデータ長を有するデータに変換することで単色表示用の表示データを生成する請求項１に記載の表示装置。
【請求項３】
前記表示データ生成手段は、１ドットあたり４ビットとした前記単色表示用のデータを１バイトに変換する際に空きの４ビット領域に、同一データをコピーする請求項２に記載の表示装置。
【請求項４】
前記表示データ生成手段は、前記単色表示部の１ドットあたりのビット数を８ビットとし、この８ビットのデータを１ワードのデータ長に変換することで単色表示用の表示データを生成する請求項１に記載の表示装置。
【請求項５】
前記表示データ生成手段は、１ドットあたり８ビットとした前記単色表示用のデータを１ワードに変換する際に空きの８ビット領域に同一データをコピーする請求項４に記載の表示装置。
【請求項６】
前記表示データ生成手段は、前記単色表示部の１ドットあたりのビット数を１６ビットとし、この１６ビットのデータを１ロングワードのデータ長に変換することで単色表示用の表示データを生成する請求項１に記載の表示装置。
【請求項７】
前記表示データ生成手段は、１ドットあたり１６ビットとした前記単色表示用のデータを１ロングワードに変換する際に空きの１６ビット領域に同一データをコピーする請求項６に記載の表示装置。
【発明の詳細な説明】
【技術分野】
【０００１】
本発明は、ＬＥＤ（Light Emitting Diode：発光ダイオード）ディスプレイ等の赤色、緑色、青色で発光する発光素子を用いた表示部に、文字や画像を含む視覚情報を表示する表示装置に関し、特に単色表示部と多色表示部とが同一画面上に混在し、単色表示部と単色表示部との独立表示と、多色表示部と単色表示部を連続した１つの単色表示面としての表示が可能な表示装置に関する。
【背景技術】
【０００２】
従来、単色表示部と多色表示部とが同一画面上に混在し、単色のみの全体表示と、単色と多色の混在表示を任意に切り替えることを可能にした表示装置が存在する。例えば、特許文献１で開示された表示装置は、単色の発光素子をマトリクス状に配列し、単一の発光色で表示を行う単色表示部と、異なる色の発光素子をマトリクス状に配列し、複数の発光色で表示を行う多色表示部とを連続的に配置して１つの表示画面を構成し、ビデオメモリの先頭から多色表示部（緑）、多色表示部（青）、多色表示部（橙）の順序で表示情報を展開し、続く領域に単色表示部（橙）の表示情報を続けて展開することで、多色表示部と単色表示部との独立表示と、多色表示部と単色表示部を連続した１つの単色表示面（橙）としての表示を可能にしている。
【０００３】
【特許文献１】特開２００４−１３３１６４号公報
【発明の開示】
【発明が解決しようとする課題】
【０００４】
ところで、上述した従来の表示装置において、単色表示部は、発光情報が１６階調の場合、０x０〜０xＦの４ビットで表わすことができる。しかし、多色表示部は０x０〜０xＦの４ビット×色情報（赤／緑／青）となり、最低１２ビットの情報が必要となる。このとき単純に単色表示部用のデータと多色表示部用のデータを繋げて配置してしまうと、単色表示部と多色表示部のデータの互換性が無くなる。表示面全体で単色表示を行い、かつ画面全体を動作させる場合等では単色表示部のデータ（４ビット）を２元素のカラー情報に置き換えてから多色表示部に設定する必要がある。
【０００５】
また、単色表示部と多色表示部の１ドットあたりのデータ構成が異なるため、画面全体を移動させる場合、多色表示部と単色表示部の移動処理を別々に行う必要があり、内部処理が複雑化する。
また、多色表示部のデータ構成と合わせるために、単色表示部の単色の色情報を複数の色情報に置き換える際、単色表示部の単色の色情報のデータを４ビット単位でコピーする必要があるため、ＣＰＵ（Central Processing Unit）等の制御部の負担が大きくなって処理速度が低下する問題がある。
【０００６】
本発明は係る事情に鑑みてなされたものであり、単色表示部と多色表示部を有する表示装置において、内部処理の簡略化及び処理速度の向上が図れる表示装置を提供することを目的とする。
【課題を解決するための手段】
【０００７】
本発明の表示装置は、複数配列した発光素子を点灯させることで文字や画像を表示する表示装置において、１ドットを１元素の発光素子で構成し、複数のドットで単色表示を行う単色表示部と、１ドットを発光色の異なる３元素の発光素子で構成し、複数のドットで前記単色表示部の発光色を含む複数の発光色で多色表示を行う多色表示部と、前記多色表示部の中の前記単色表示部の発光色と共通する発光色を表現できる２元素分を多色表示用の表示データとして生成し、この多色表示用の表示データと同一のデータ長で単色表示用の表示データを生成する表示データ生成手段と、を備えた。
【０００８】
上記構成によれば、単色表示用の表示データと多色表示用の表示データのフォーマットを共通化できるので、内部処理の簡略化及び処理速度の向上が図れる。
【０００９】
前記表示データ生成手段は、前記単色表示部の１ドットあたりビット数を４ビット、８ビット又は１６ビットとし、４ビットのデータの場合は１バイトのデータ長に変換し、８ビットの場合は１ワードのデータ長に変換し、１６ビットの場合は１ロングワードのデータ長に変換する。単色表示部の１ドットを４ビットのデータで点灯することで１６階調の階調表現が可能となる。また、８ビットのデータで点灯することで２５６階調の階調表現が可能となる。また、１６ビットのデータで点灯することで６５５３６階調の階調表現が可能となる。
【００１０】
また、１ドットあたり４ビットとした単色表示用のデータを１バイトに変換する場合は空きの４ビット領域に同一データをコピーする。また、同データを１ワードに変換する場合は空きの８ビット領域に同一データをコピーする。また、同データを１ロングワードに変換する場合は空きの１６ビット領域に同一データをコピーする。例えば、発光色が黄色の発光素子を使用して、１ドットあたり４ビットとした単色表示用のデータを１バイトに変換する場合、当該データを下位４ビットの領域にセットし、上位４ビットの領域に下位４ビットのデータをコピーする。そして、単色表示部を点灯させる場合は１バイトの下位４ビットをのみを使用して黄色を点灯させ、多色表示部にスクロールさせた場合は１バイトの上位４ビットを赤色、下位４ビットを緑色とすることで、単色表示部と同様に黄色で表現することができる。
【発明の効果】
【００１１】
本発明は、単色表示部と多色表示部を有する表示装置において、単色表示用の表示データと多色表示用の表示データのフォーマットを共通化できるので、内部処理の簡略化及び処理速度の向上が図れる。
【発明を実施するための最良の形態】
【００１２】
以下、本発明を実施するための好適な実施の形態について、図面を参照しながら詳細に説明する。
【００１３】
図１は、本発明の一実施の形態に係る表示装置の概略構成を示すブロック図である。図２は、本実施の形態に係る表示装置の正面側を示す外観図である。
図２に示すように本実施の形態の表示装置１０は、単色表示部１１１と多色表示部１１２からなる表示部１１を有する。図２（ａ）に示すように単色のみの全体表示（全体を同一色で「ＯＰＥＮ」と表現している）と、図２（ｂ）に示すように単色と多色の混在表示（１文字目は「→」のカラー（複数色）表示、２文字目以降は単色で「空車有」と表現している）を任意に切り替えることができる。
【００１４】
図１において、本実施の形態の表示装置１０は、上述した表示部１１と、データ入力部１２と、表示データ記憶部１３と、表示データ加工部１４と、表示制御部１５と、表示出力部１６とを備えている。データ入力部１２は、外部より入力される表示データ（文字や画像を含む表示データ）を取り込む。表示データは、外部からデータ入力部１２に取り込まれた後、表示データ記憶部１３で記憶される。表示データ記憶部１３に記憶された表示データには、例えば、表示部１１の多色表示部１１２に画像を表示するための表示データと、表示部１１の単色表示部１１１に画像を表示するための表示データとが含まれる。なお、表示データ記憶部１３には、データの書き込みや消去を自由に行うことができ、しかも電源を切っても内容が消えないフラッシュメモリが好適である。次に、表示データ記憶部１３に記憶された表示データは、表示制御部１５によって、表示データ加工部１４にセットされ、表示部１１の多色表示部１１２に画像を表示するための表示データと単色表示部１１１に画像を表示するための表示データとが繋げられる。そして、表示データ加工部１４で処理が行われた表示データが、表示制御部１５、表示出力部１６を介して、表示部１１に出力され、表示画面に表示される。
【００１５】
例えば、図２（ａ）に示す全体を同一色で表現する場合、記憶部１３に記憶された、多色表示部１１２に表示される多色表示用の表示データ（１文字分）と単色表示部１１１に表示される単色表示用の表示データ（３文字分）とが、表示制御部１５によって、表示データ加工部１４にセットされ、多色表示部１１２に表示される多色表示用の表示データ（１文字分）と単色表示部１１１に表示される単色表示用の表示データ（３文字分）とが繋げられる。そして、表示データ加工部１４で繋げられた表示データ（４文字分）が、表示制御部１５、表示出力部１６へ介して、表示出力部１へ出力される。
【００１６】
図３は、表示装置１０で用いられるデータフォーマットを示す模式図である。単色表示用の表示データは、単色表示部１１１の１ドットを点灯させるために４ビットで構成し、これを色の２元素のカラー情報として１バイトで保存する。この際、１ドットあたりの表示データを１バイトの下位４ビットに設定し、上位４ビットには下位４ビットをコピーする。これにより、単色表示用であるものの、２元素のカラー情報として多色表示部１１２でも使用可能となる。
多色表示用の表示データは、多色表示部１１２を単色表示と同色で点灯させるために単色表示部１１１と共通する２元素分の（４ビット、４ビット）で構成し、これを単色表示と共通する２元素のカラー情報として１バイトで保存する。また、単色表示と共通しない１元素は上位４ビットを空白にして下位４ビットで構成し、１バイトで保存する。
例えば、単色表示部１１１に黄色の発光素子（ＬＥＤ）を使用した場合、単色表示部１１１と共通する色を表示できる色の２元素が「赤色」と「緑色」になる。多色表示用として、赤色を表示する４ビットと緑色を表示する４ビットを１バイトで保存する。単色表示部１１１と共通しない「青色」については、１バイトの下位４ビットに保存し、上位４ビットは未使用のままとする。
【００１７】
多色表示部１１２において、上位４ビットで赤色の発光素子を点灯させ、下位４ビットで緑色の発光素子を点灯させる（その逆も可能）ことで、単色表示部１１１と同様に黄色で表示できる。このように多色表示用の表示データは、多色表示部１１２の中の単色表示部１１１と共通する色を表示できる２元素と共通しない１元素を分離してそれぞれを１バイトで保存する。なお、説明するまでもないが、多色表示部１１２は１ドットが赤色、緑色、青色の３つの発光素子から構成されるので、赤色と緑色の発光素子を同時点灯させることで該ドットの発光色が黄色になる。
【００１８】
多色表示用の表示データを単色表示と共通する色を表示できる２元素とすることで、単色表示用の表示データをスクロールして多色表示部１１２まで移動させても同色で表示できる。単色表示用の表示データをスクロールさせて多色表示部１１２まで移動させた場合でも多色表示部１１２に同色で表示できるようにするために、上述したように、下位４ビットを上位４ビットにコピーする。なお、単色表示用の表示データを１バイトの上位４ビットに設定し、それを下位４ビットにコピーしてもよい。このようにして多色表示用と単色表示用のデータのフォーマットを共通化することで、表示装置の内部処理の簡略化及び処理速度の向上が可能となる。
【００１９】
なお、単色表示用のデータのデータ長を、１バイトとする以外に１ワード又は１ロングワードとしても構わない。データ長を１ワードとした場合は８ビットとなり、これを１ワードの下位８ビットに設定する。また、データ長を１ロングワードとした場合、１６ビットとなり、これを１ロングワードの下位１６ビットに設定する。データ長を１バイト、１ワード又は１ロングワードにすることで、コンピュータを使用した場合のデータ処理の効率化が図れる。また、１ドットを４ビットのデータを割り当てることで１６階調表現が可能となり、８ビットのデータを割り当てることで２５６階調表現が可能となり、１６ビットのデータを割り当てることで６５５３６階調表現が可能となる。すなわち、多彩な表現が可能となる。
【００２０】
次に、図４に示すフローチャートを参照して表示装置１０の動作を説明する。
図４において、まず外部より入力される表示データを取得し、表示データ記憶部１３に格納する（ステップＳＴ１０）。次いで、表示データ記憶部１３に格納した表示データのうち、多色表示用の表示データを取得する（ステップＳＴ１１）。次いで、取得した多色表示用の表示データを表示データ加工部１４にセットする（ステップＳＴ１２）。この際、単色表示部１１１と共通する色を表示できる２元素と共通しない１元素を分離してそれぞれを１バイトで表示データ加工部１４にセットする。この処理を例えば１文字分行う。
【００２１】
多色表示用の表示データを表示データ加工部１４にセットした後、表示データ記憶部１３から単色表示用の表示データを取得し（ステップＳＴ１３）、１ドット毎に下位４ビットを上位４ビットにコピーする（ステップＳＴ１４）。そして、加工した単色表示用の表示データを表示データ加工部１４にセットする（ステップＳＴ１５）。この処理を例えば３文字分を行う。多色表示用の表示データと単色表示用の表示データを表示データ加工部１４にセットした後、表示データ加工部１４にセットした表示データをシフトして表示出力部１６に転送する（ステップＳＴ１６）。
【００２２】
このように本実施の形態の表示装置１０によれば、１ドット毎に４ビットの単色表示用のデータを２元素のカラー情報として１バイトで構成し、また多色表示部１１２の中の単色表示部１１１と共通する色の２元素と共通しない色の１元素を分離してそれぞれを１バイトで構成するようにしたので、単色表示用の表示データと多色表示用の表示データのフォーマットの共通化によって、内部処理の簡略化及び処理速度の向上が図れる。また、単色及び多色のそれぞれにおいて１ドットあたり１６階調〜６５５３６階調の多彩な表現が可能となる。
【産業上の利用可能性】
【００２３】
本発明は、内部処理の簡略化及び処理速度の向上が図れるといった効果を有し、単色表示部と多色表示部とが同一画面上に混在し、単色表示部と単色表示部との独立表示と、多色表示部と単色表示部を連続した１つの単色表示面としての表示が可能な表示装置への適用が可能である。
【図面の簡単な説明】
【００２４】
【図１】本発明の一実施の形態に係る表示装置の概略構成を示すブロック図
【図２】本発明の一実施の形態に係る表示装置の正面側を示す外観図
【図３】本発明の一実施の形態に係る表示装置のデータフォーマットを模式的に示した図
【図４】本発明の一実施の形態に係る表示装置の動作を説明するためのフローチャート
【符号の説明】
【００２５】
１０  表示装置
１１  表示部
１２  データ入力部
１３  表示データ記憶部
１４  表示データ加工部
１５  表示制御部
１６  表示出力部
１１１  単色表示部
１１２  多色表示部
【図１】
2009300522.tif 000003
【図２】
2009300522.tif 000004
【図３】
2009300522.tif 000005
【図４】
2009300522.tif 000006